(57)【要約】【課題】非正規の遊技媒体の計数に対する効率的な対処を行なうこと。【解決手段】台間メダル貸機１０に遊技客が獲得したメダルを投入すると、台間メダル貸機１０は、投入されたメダルが正規のメダルであるか否かを識別して計数し、正規メダルを正規メダル回収路へ投出し、非正規メダルを非正規メダルホッパに貯留する。台間メダル貸機１０は、非正規メダルの混入率が判定閾値以上である場合には、遊技店員に対する報知を行なう。カード管理装置４０は、台間メダル貸機１０から収集した計数結果に基づいて判定閾値を算出し、各台間メダル貸機１０に配信する。【選択図】図１
2014079320.tif 000002
【特許請求の範囲】
【請求項１】
遊技店における遊技に使用される遊技媒体を計数する遊技媒体計数システムであって、
前記遊技媒体を計数する計数手段と、
前記計数手段の計数対象となる遊技媒体が、正規の遊技媒体であるか非正規の遊技媒体であるかを識別する識別手段と、
前記識別手段による識別結果に基づいて、前記計数手段が計数した遊技媒体における前記非正規の遊技媒体の混入率を算出し、該混入率が混入閾値以上であるか否かを判定する混入判定手段と、
前記混入率が前記混入閾値以上である場合に報知を行なう報知手段と
を備えたことを特徴とする遊技媒体計数システム。
【請求項２】
前記識別手段による識別結果に基づいて算出された過去の混入率に基づいて、前記混入閾値を設定する閾値設定手段をさらに備えたことを特徴とする請求項１に記載の遊技媒体計数システム。
【請求項３】
前記混入率の履歴を管理する混入履歴管理手段と、
前記混入履歴管理手段により管理された混入率の履歴に基づいて、前記混入率の推移を分析する分析手段と
をさらに備えたことを特徴とする請求項１又は２に記載の遊技媒体計数システム。
【請求項４】
前記識別手段は、前記遊技店内の他の区画で使用される異区画遊技媒体と、前記遊技店で使用されていない異店舗遊技媒体とを前記非正規の遊技媒体としてそれぞれ識別することを特徴とする請求項１、２又は３に記載の遊技媒体計数システム。
【請求項５】
前記非正規の遊技媒体を選択的に排出するとともに、前記異区画遊技媒体と前記異店舗遊技媒体の一方を排出した場合には後続の処理を継続し、他方を排出した場合には後続の処理を停止する排出制御手段をさらに備えたことを特徴とする請求項４に記載の遊技媒体計数システム。
【請求項６】
前記計数手段は、前記正規の遊技媒体の計数結果と前記非正規の遊技媒体の計数結果を合算して出力することを特徴とする請求項１〜５のいずれか一つに記載の遊技媒体計数システム。
【請求項７】
遊技店における遊技に使用される遊技媒体を計数する遊技媒体計数装置であって、
前記遊技媒体を計数する計数手段と、
前記計数手段の計数対象となる遊技媒体が、正規の遊技媒体であるか非正規の遊技媒体であるかを識別する識別手段と、
前記識別手段による識別結果に基づいて、前記計数手段が計数した遊技媒体における前記非正規の遊技媒体の混入率を算出し、該混入率が混入閾値以上であるか否かを判定する混入判定手段と、
前記混入率が前記混入閾値以上である場合に報知を行なう報知手段と
を備えたことを特徴とする遊技媒体計数装置。
【請求項８】
前記識別手段は、前記遊技店内の他の区画で使用される異区画遊技媒体と、前記遊技店で使用されていない異店舗遊技媒体とを前記非正規の遊技媒体としてそれぞれ識別し、前記非正規の遊技媒体を選択的に排出するとともに、前記異区画遊技媒体と前記異店舗遊技媒体の一方を排出した場合には後続の処理を継続し、他方を排出した場合には後続の処理を停止する排出制御手段をさらに備えたことを特徴とする請求項７に記載の遊技媒体計数装置。
【請求項９】
遊技機による遊技に使用される遊技媒体を計数する遊技媒体計数方法であって、
前記遊技媒体を計数する計数ステップと、
前記計数ステップの計数対象となる遊技媒体が、正規の遊技媒体であるか非正規の遊技媒体であるかを識別する識別ステップと、
前記識別ステップによる識別結果に基づいて、前記計数ステップにより計数した遊技媒体における前記非正規の遊技媒体の混入率を算出し、該混入率が混入閾値以上であるか否かを判定する混入判定ステップと、
前記混入率が前記混入閾値以上である場合に報知を行なう報知ステップと
を含んだことを特徴とする遊技媒体計数方法。
【発明の詳細な説明】
【技術分野】
【０００１】
この発明は、遊技機による遊技に使用される遊技媒体を計数する遊技媒体計数システム、遊技媒体計数装置及び遊技媒体計数方法に関する。
【背景技術】
【０００２】
従来、遊技店では、遊技玉やメダル等の遊技媒体を貸し出す貸出機と、遊技媒体の計数を行なう計数機とが設置されるのが一般的である。貸出機は、各遊技機にそれぞれ併設されており、遊技客の操作に基づいて所定数の遊技媒体を投出するものである。遊技客は、貸出機から投出された遊技媒体を使用して遊技を行なうことができる。
【０００３】
一方、計数機は、遊技店内の島端などに設置される装置であり、遊技客が獲得した遊技媒体の計数を行なうとともに、計数結果を印字したレシートや計数結果を関連付けたカードを発行するものである。例えば、特許文献１には、投入されたメダルを回転円板で１枚ずつ繰り出し、この繰り出されたメダルの枚数を計数センサでカウントして計数を行なうメダル計数機が開示されている。計数機による計数結果は、景品カウンタなどで景品交換に使用することができる。
【先行技術文献】
【特許文献】
【０００４】
【特許文献１】特開平９−３５１０７号公報
【発明の概要】
【発明が解決しようとする課題】
【０００５】
しかしながら、遊技店で貸し出された正規の遊技媒体以外の遊技媒体、例えば他店から持ち込んだ遊技媒体を不正に計数されると、遊技客が正当な遊技により獲得した遊技媒体数以上の景品を提供することとなり、遊技店にとって不利益となる。
【０００６】
また、近年、遊技店内を複数の区画に分け、区画毎に価値の異なる遊技媒体を使用することが行なわれているが、別の区画から持ち込んだ遊技媒体を計数した場合にも同様の問題が生じる。
【０００７】
遊技媒体がメダルである場合には、画像認識等によって正規のメダルと非正規のメダルとを識別できるのであるが、従来の技術では、他店からの持ち込みメダルと別区画からの持ち込みメダルとを区別できないという問題点があった。他店からの持ち込みメダルについては排除し、別区画からの持ち込みメダルについては本来の区画に戻すことが望ましいが、他店からの持ち込みメダルと別区画からの持ち込みメダルとの区別ができない場合には、かかる区別を人手により行なうこととなり、大きな作業負担となるのである。
【０００８】
また、計数時に非正規の遊技媒体の混入を検知した場合であっても、かかる混入が不正によるものであると断ずることは困難であった。非正規の遊技媒体が一旦混入すると、混入した非正規の遊技媒体が遊技店内で循環して貸出機から払い出される場合があり、計数時に非正規の遊技媒体であると識別したとしても、計数時の遊技客が不正に持ち込んだものであるか、遊技店内で循環して払い出されたものであるかの判別が困難であるためである。非正規の遊技媒体の混入は、貸し出される遊技媒体に限らず、遊技機からの賞出分にも含まれる可能性がある。これは、遊技客が遊技機に投入した遊技媒体が、その後、賞出時に用いられるためである。
【０００９】
また、遊技店で使用される遊技媒体全体に対する非正規の遊技媒体の混入率は、新たな混入があれば増加し、非正規の遊技媒体の除去が行なわれれば減少する。このように混入率が変動する関係から、計数時の非正規の遊技媒体の混入について、不正であると判定するための閾値を適切に設定することが困難であった。
【００１０】
また、非正規の遊技媒体の混入率の変化や、非正規の遊技媒体のうち、他店からの持ち込みと別区画からの持ち込みの比率などは、不正の発生状況を把握するために重要な指標となるが、従来の技術ではかかる指標を取得することもできなかった。
【００１１】
このように従来の技術では、非正規の遊技媒体の計数への対処が不十分であり、この対処をいかにして行なうかが重要な課題となっていた。かかる課題は、島端に計数機を設置する場合に限らず、遊技機毎に計数機を設置する場合にも発生する。特に、遊技機毎に計数機を設置する場合には、計数毎に遊技店員が立ち会うことが困難であるために、非正規の遊技媒体の計数が発生しやすく、かかる計数への対処が特に重要である。
【００１２】
本発明は、上述の問題点に鑑みなされたものであって、非正規の遊技媒体の計数に対する効率的な対処を行なうことのできる遊技媒体計数システム、遊技媒体計数装置及び遊技媒体計数方法を提供することを目的とする。
【課題を解決するための手段】
【００１３】
上述した課題を解決し、目的を達成するため、本発明は、遊技店における遊技に使用される遊技媒体を計数する遊技媒体計数システムであって、前記遊技媒体を計数する計数手段と、前記計数手段の計数対象となる遊技媒体が、正規の遊技媒体であるか非正規の遊技媒体であるかを識別する識別手段と、前記識別手段による識別結果に基づいて、前記計数手段が計数した遊技媒体における前記非正規の遊技媒体の混入率を算出し、該混入率が混入閾値以上であるか否かを判定する混入判定手段と、前記混入率が前記混入閾値以上である場合に報知を行なう報知手段とを備えたことを特徴とする。
【００１４】
また、本発明は、上記発明において、前記識別手段による識別結果に基づいて算出された過去の混入率に基づいて、前記混入閾値を設定する閾値設定手段をさらに備えたことを特徴とする。
【００１５】
また、本発明は、上記発明において、前記混入率の履歴を管理する混入履歴管理手段と、前記混入履歴管理手段により管理された混入率の履歴に基づいて、前記混入率の推移を分析する分析手段とをさらに備えたことを特徴とする。
【００１６】
また、本発明は、上記発明において、前記識別手段は、前記遊技店内の他の区画で使用される異区画遊技媒体と、前記遊技店で使用されていない異店舗遊技媒体とを前記非正規の遊技媒体としてそれぞれ識別することを特徴とする。
【００１７】
また、本発明は、上記発明において、前記非正規の遊技媒体を選択的に排出するとともに、前記異区画遊技媒体と前記異店舗遊技媒体の一方を排出した場合には後続の処理を継続し、他方を排出した場合には後続の処理を停止する排出制御手段をさらに備えたことを特徴とする。
【００１８】
また、本発明は、上記発明において、前記計数手段は、前記正規の遊技媒体の計数結果と前記非正規の遊技媒体の計数結果を合算して出力することを特徴とする。
【００１９】
また、本発明は、遊技店における遊技に使用される遊技媒体を計数する遊技媒体計数装置であって、前記遊技媒体を計数する計数手段と、前記計数手段の計数対象となる遊技媒体が、正規の遊技媒体であるか非正規の遊技媒体であるかを識別する識別手段と、前記識別手段による識別結果に基づいて、前記計数手段が計数した遊技媒体における前記非正規の遊技媒体の混入率を算出し、該混入率が混入閾値以上であるか否かを判定する混入判定手段と、前記混入率が前記混入閾値以上である場合に報知を行なう報知手段とを備えたことを特徴とする。
【００２０】
また、本発明は、上記発明において、前記識別手段は、前記遊技店内の他の区画で使用される異区画遊技媒体と、前記遊技店で使用されていない異店舗遊技媒体とを前記非正規の遊技媒体としてそれぞれ識別し、前記非正規の遊技媒体を選択的に排出するとともに、前記異区画遊技媒体と前記異店舗遊技媒体の一方を排出した場合には後続の処理を継続し、他方を排出した場合には後続の処理を停止する排出制御手段をさらに備えたことを特徴とする。
【００２１】
また、本発明は、遊技機による遊技に使用される遊技媒体を計数する遊技媒体計数方法であって、前記遊技媒体を計数する計数ステップと、前記計数ステップの計数対象となる遊技媒体が、正規の遊技媒体であるか非正規の遊技媒体であるかを識別する識別ステップと、前記識別ステップによる識別結果に基づいて、前記計数ステップにより計数した遊技媒体における前記非正規の遊技媒体の混入率を算出し、該混入率が混入閾値以上であるか否かを判定する混入判定ステップと、前記混入率が前記混入閾値以上である場合に報知を行なう報知ステップとを含んだことを特徴とする。
【発明の効果】
【００２２】
本発明によれば、計数対象となる遊技媒体が、正規の遊技媒体であるか非正規の遊技媒体であるかを識別し、識別結果に基づいて、計数した遊技媒体における非正規の遊技媒体の混入率を算出し、該混入率が混入閾値以上であるか否かを判定し、混入率が前記混入閾値以上である場合に報知を行なうよう構成したので、非正規の遊技媒体の計数に対する効率的な対処を行なうことができる。
【図面の簡単な説明】
【００２３】
【図１】図１は、実施例１に係るメダル計数の概念を説明するための説明図である。
【図２】図２は、遊技店のシステム構成を示す図である。
【図３】図３は、図２に示した遊技機及び台間メダル貸機の外観構成を示す図である。
【図４】図４は、図２に示した台間メダル貸機の内部構成を示すブロック図である。
【図５】図５は、台間メダル貸機の記憶部が記憶するデータを説明するための説明図である。
【図６】図６は、台間メダル貸機のメダル計数時の処理手順について説明するためのフローチャートである。
【図７】図７は、図２に示したカード管理装置の内部構成を示すブロック図である。
【図８】図８は、カード管理装置の記憶部が記憶するデータを説明するための説明図である。
【図９】図９は、実施例２に係るメダル計数の概念を説明するための説明図である。
【図１０】図１０は、実施例２に係る遊技店のシステム構成を示す図である。
【図１１】図１１は、図１０に示した島端計数機の外観構成を示す外観構成図である。
【図１２】図１２は、図１０に示した島端計数機の内部構成を示すブロック図である。
【図１３】図１３は、島端計数機のメダル計数時の処理手順について説明するためのフローチャートである。
【図１４】図１４は、図１３に示した処理停止制御の詳細な処理手順を示すフローチャートである。
【発明を実施するための形態】
【００２４】
以下に、添付図面を参照して、本発明に係る遊技媒体計数システム、遊技媒体計数装置及び遊技媒体計数方法の好適な実施例を詳細に説明する。
【００２５】
本明細書中にあって持メダルとは、遊技客が遊技において獲得した遊技媒体又は当該遊技媒体数を示すデータであって、その当日中（閉店より前の時間）のみ遊技に再度供することができるものを言う。貯メダルとは、遊技客が遊技において獲得した遊技媒体又は当該遊技媒体数を示すデータであって、翌日以降（閉店より後の時間）も遊技に再度供することができるものを言う。持メダルは、一般遊技客及び会員遊技客の双方が使用可能であり、遊技機を移動した場合などに使用する。貯メダルは通常、会員遊技客のみが使用可能であり、獲得した遊技媒体を翌日以降の遊技に用いる場合に使用する。貯メダルの使用には所定の手数料を課すこととしてもよい。
【実施例１】
【００２６】
まず、本実施例１に係るメダル計数の概念について説明する。図１は、実施例１に係るメダル計数の概念を説明するための説明図である。図１に示す台間メダル貸機１０は、メダルを遊技媒体として使用する遊技機２０に併設され、使用可能なメダル枚数等をカードに関連付けて管理し、メダルの払い出しや計数を行なう。
【００２７】
台間メダル貸機１０に遊技客が獲得したメダルを投入すると、台間メダル貸機１０は、投入されたメダルが正規のメダルであるか否かを識別して計数する。非正規メダルには、自店舗の他の区画で計数されるべきレート違いのメダル（他レートメダル）と、自店舗で使用されていないメダル（他店メダル）とが含まれるが、台間メダル貸機１０は、他レートメダルと他店メダルとをそれぞれ識別して計数する。
【００２８】
台間メダル貸機１０は、計数したメダルが正規メダルである場合には、該メダルを正規メダル回収路へ投出し、計数したメダルが非正規メダルである場合には、該メダルを非正規メダルホッパに貯留する。
【００２９】
また、台間メダル貸機１０は、投入された正規メダルの数と非正規メダルの数とをそれぞれ記憶し、非正規メダルの混入率が判定閾値以上であるか否かを判定する。そして、判定閾値以上である場合には、遊技店員に対する報知を行なう。混入率は、他レートメダルと他店メダルについてそれぞれ算出する。また、他レートメダルの混入率に対する判定閾値と、他店メダルの混入率に対する判定閾値とは個別に設定する。
【００３０】
台間メダル貸機１０は、投入された獲得メダルの計数後、正規メダルの計数値と、他レートメダルの計数値と、他店メダルの計数値とを計数結果としてカード管理装置４０に送信する。
【００３１】
カード管理装置４０は、遊技店で使用されるカードを管理する装置であり、複数の台間メダル貸機１０から計数結果を収集する機能を有する。カード管理装置４０は、収集した計数結果に基づいて他レートメダルの判定閾値と他店メダルの判定閾値とをそれぞれ算出し、各台間メダル貸機１０に配信する。
【００３２】
このように、台間メダル貸機１０は、メダルを識別して計数し、計数結果に基づいて混入率と比較するための判定閾値を変更するので、遊技店内での非正規メダルの混入状況に合わせた適切な判定を行なうことができる。
【００３３】
また、他レートメダルと他店メダルとをそれぞれ識別し、他レートメダルの混入率に対する判定閾値と他店メダルの混入率に対する判定閾値とを個別に設定することで、精度よく判定を行なうことができる。
【００３４】
次に、遊技店のシステム構成について説明する。図２は、遊技店のシステム構成を示す図である。図２に示すように、遊技店には、複数の遊技機２０と、各遊技機２０にそれぞれ対応して設けられた台間メダル貸機１０とが設置される。複数の遊技機２０及び台間メダル貸機１０は、使用するレートにより区画を分けて設置される。このレートとは、メダルの貸出単価を示し、図１では１枚２０円で貸し出されるメダルを用いる２０円スロット区画と、１枚５円で貸し出されるメダルを用いる５円スロット区画とを設けている。なお、メダルの意匠はレート毎に異なる。
【００３５】
台間メダル貸機１０は、島コントローラ３０を介して店内のネットワークである通信回線と接続する。通信回線には、島コントローラ３０と、カード管理装置４０と、会員管理装置５０と、景品管理装置６０と、精算機８０とが接続される。
【００３６】
遊技機２０は、遊技媒体であるメダルをメダル投入口に投入して、３個のドラムを回転させるとともに、ストップボタンを順次押して絵柄をそろえることにより遊技を行うスロットマシンである。３つのドラムの有効ラインに一定の絵柄が揃うと、遊技機２０は、絵柄の種類に応じた枚数のメダルを獲得メダルとして払い出す。
【００３７】
台間メダル貸機１０は、入金の受付、メダルの貸し出し並びにカード管理装置４０との通信を行う。台間メダル貸機１０は、遊技客が投入した紙幣を受け付けたならば、入金額を含む入金通知をカード管理装置４０に送信することで、プリペイド価値をカード管理装置４０が管理するプリペイド価値に加算させる。そして、所定のメダル貸操作がなされたならば、メダル貸要求をカード管理装置４０に送信し、カード管理装置４０が管理するプリペイド価値を減算させて、減算したプリペイド価値分に対応する数のメダルを払い出す。
【００３８】
また、台間メダル貸機１０は、カードの挿入を受け付けたならば、カード管理装置４０にカード挿入通知を送信する。また、台間メダル貸機１０は、カード管理装置４０からプリペイド価値、持メダル口座又は貯メダル口座の残高を受信した場合には、該残高を記憶する。そして、持メダル口座の残高を受信し、記憶した場合には、カード管理装置４０に対して持メダル減算要求を送信することで、カード管理装置４０が管理する持メダル口座の残高をゼロにクリアする。
【００３９】
また、台間メダル貸機１０は、持メダル再プレイ操作を受け付けると、自装置が管理する持メダル口座の残高を所定数減算し、減算した数に対応する数のメダルを払い出す。また、台間メダル貸機１０は、貯メダル再プレイ操作を受け付けると、カード管理装置４０に対して貯メダル再プレイ要求を送信することで、会員管理装置５０が管理する貯メダル口座の残高を所定数減算させ、減算した数に対応する数のメダルを払い出す。
【００４０】
台間メダル貸機１０は、カード返却操作を受け付けたならば、自装置が管理する持メダル口座の残高を含む持メダル加算要求をカード管理装置４０に送信し、カード管理装置４０に持メダルを加算させた後、カード排出通知をカード管理装置４０に送信し、カードを排出制御する。
【００４１】
島コントローラ３０は、遊技島に設けられた一群の遊技機２０及び台間メダル貸機１０を束ねる中継装置である。カード管理装置４０は、カードのプリペイド価値及び持メダル数等をカードデータとして管理する管理装置である。
【００４２】
カード管理装置４０は、台間メダル貸機１０からカード挿入通知を受信したならば、挿入されたカードのＩＤと台間メダル貸機１０とを関連づけて管理し、該カードＩＤに関連づけられたプリペイド価値及び持メダル口座の残高を台間メダル貸機１０に送信する。また、カード挿入通知に示されたカードＩＤが会員カードのカードＩＤである場合には、該カードＩＤに関連づけられた貯メダル口座の残高を会員管理装置５０から取得し、プリペイド価値及び持メダル口座の残高とともに台間メダル貸機１０に送信する。
【００４３】
また、カード管理装置４０は、台間メダル貸機１０から持メダル減算要求を受信した場合には、持メダル口座の残高をゼロにクリアし、台間メダル貸機１０から持メダル加算要求を受信した場合には、持メダル加算要求に示された持メダル数を持メダル口座に加算する。
【００４４】
また、カード管理装置４０は、台間メダル貸機１０からメダル貸要求を受信した場合には、対応するプリペイド価値を所定値減算し、メダル貸許可を台間メダル貸機１０に送信する。そして、貯メダル再プレイ要求を受信した場合には、該貯メダル再プレイ要求を会員管理装置５０に送信し、会員管理装置５０が貯メダル再プレイ許可を出力した場合には、貯メダル再プレイ許可を台間メダル貸機１０に送信する。
【００４５】
また、カード管理装置４０は、景品管理装置６０からカードＩＤを受信したならば、このカードＩＤに関連付けられた持メダル口座の残高を景品管理装置６０に対して通知する。さらに、精算機８０からカードＩＤを受信したならば、このカードＩＤに関連付けられたプリペイド価値を精算機８０に対して通知する。
【００４６】
会員管理装置５０は、遊技店に会員登録された会員の会員管理データを管理する管理装置である。具体的には、会員に対して発行した会員カードＩＤに関連づけて、貯メダル数、ポイント、暗証番号及び氏名等を管理する。
【００４７】
会員管理装置５０は、カード管理装置４０から貯メダル口座残高の問い合わせを受けたならば、指定されたカードＩＤに対応する貯メダル口座の残高をカード管理装置４０に通知する。また、会員管理装置５０は、カード管理装置４０を介して貯メダル再プレイ要求を受信したならば、貯メダル再プレイ要求に示されたカードＩＤに関連づけられた貯メダル口座の残高を所定数減算し、貯メダル再プレイ許可を出力する。
【００４８】
また、会員管理装置５０は、景品管理装置６０から貯メダル口座残高の問い合わせを受けたならば、指定されたカードＩＤに対応する貯メダル口座の残高を景品管理装置６０に通知する。
【００４９】
景品管理装置６０は、遊技店内の景品交換カウンタに併設された景品交換用の端末装置であり獲得メダル、貯メダル及び持メダルの景品交換処理を行う。この景品管理装置６０には、カードのカードＩＤを読み取るリーダライタ及び景品を払い出す景品払出装置が接続されている。景品管理装置６０は、リーダライタがカードを受け付けた場合には、リーダライタで読み出したカードのカードＩＤをカード管理装置４０に送信して、該カードの持メダル口座残高を要求する。また、貯メダルを景品交換する場合は、会員管理装置５０に対して貯メダル口座残高を要求する。
【００５０】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００５１】
図２に示したシステムでメダル貸しを行う場合のメダル貸処理について説明する。遊技客が台間メダル貸機１０に対してメダル貸操作を行うと、台間メダル貸機１０は、カード管理装置４０のローカルＩＰアドレスを宛先として指定した電文を送信する。この電文は、台間メダル貸機１０に挿入されているカードのカードＩＤと、送信元である台間メダル貸機１０を特定するＩＰアドレス若しくは任意の識別情報と、メダル貸要求とを含む。
【００５２】
カード管理装置４０は、メダル貸要求を含む電文を受信すると、該電文内のカードＩＤに関連付けられたプリペイド価値を所定値（例えば、１００円＝１度数の場合に５度数）減算してカード管理データを更新し、メダル貸許可を送信元の台間メダル貸機１０に送信する。メダル貸許可を受信した台間メダル貸機１０は、減算したプリペイド価値に対応する数（例えば２５枚）のメダルを払い出す。
【００５３】
次に、図２に示したシステムで持メダルの再プレイを行う場合の持メダル再プレイ処理について説明する。台間メダル貸機１０は、一般カードあるいは会員カードの挿入を受け付けた場合に、カード管理装置４０のローカルＩＰアドレスを宛先として指定した電文を送信する。この電文は、台間メダル貸機１０に挿入されているカードのカードＩＤと、送信元である台間メダル貸機１０を特定するＩＰアドレス若しくは任意の識別情報と、台間メダル貸機１０のレートを特定するための情報と、カード挿入通知とを含む。
【００５４】
カード管理装置４０は、台間メダル貸機１０からカード挿入通知を受信した場合には、該電文内のカードＩＤに関連付けられた持メダル口座のうち、該電文により特定されたレートの持メダル口座の残高を台間メダル貸機１０に通知する。
【００５５】
台間メダル貸機１０は、カード管理装置４０から受信した持メダルの残高を記憶する。そして、カードＩＤ及びレートを特定する情報と、持メダル減算要求とを含む電文をカード管理装置４０に送信する。カード管理装置４０は、持メダル減算要求を受信した場合には、カードＩＤ及びレートにより特定される持メダル口座の残高をゼロにクリアする。台間メダル貸機１０は、持メダル再プレイ操作を受け付けた場合には、記憶した持メダルの残高を所定数減算し、対応する数のメダルを払い出す。
【００５６】
台間メダル貸機１０は、カード返却操作を受け付けた場合には、カード管理装置４０に対して持メダル加算要求を含む電文を送信する。この電文は、排出するカードのカードＩＤと、送信元である台間メダル貸機１０を特定するＩＰアドレス若しくは任意の識別情報と、台間メダル貸機１０のレートを特定するための情報と、持メダルの残高と、持メダル加算要求とを含む。
【００５７】
カード管理装置４０は、持メダル加算要求を受け付けた場合には、該電文内のカードＩＤに関連付けられた持メダル口座のうち、該電文により特定されたレートの持メダル口座の残高を受信した残高の値に更新する。
【００５８】
その後、台間メダル貸機１０は、カード管理装置４０にカード排出通知を送信し、カードを排出制御する。
【００５９】
次に、図２に示したシステムで貯メダルの再プレイを行う場合の貯メダル再プレイ処理について説明する。台間メダル貸機１０は、会員カードを挿入された場合、若しくは会員カードとして使用可能な携帯端末からカードＩＤに対応する識別情報を読み取った場合に、カード管理装置４０のローカルＩＰアドレスを宛先として指定した電文を送信する。この電文は、台間メダル貸機１０に挿入されているカードのカードＩＤ（若しくは携帯端末から読み取ったカードＩＤに対応する識別情報。以降、カードＩＤという）と、送信元である台間メダル貸機１０を特定するＩＰアドレス若しくは任意の識別情報と、台間メダル貸機１０のレートを特定するための情報と、カード挿入通知とを含む。
【００６０】
カード管理装置４０は、カード挿入通知の電文を会員管理装置５０に送信する。会員管理装置５０は、カード挿入通知の電文を受信した場合には、該電文内のカードＩＤに関連付けられた暗証番号と、貯メダル口座のうち、該電文により特定されたレートの貯メダル口座の残高と、を含む貯メダル再プレイデータを台間メダル貸機１０に送信する。
【００６１】
台間メダル貸機１０は、受信した貯メダル再プレイデータを記憶し、貯メダル再プレイデータに示された貯メダル口座の残高が貯メダル再プレイにおけるメダルの払出単位数（貯メダル再プレイ単位数。例えば２５枚）以上である場合には貯メダル再プレイ操作を受け付け可能とする。
【００６２】
台間メダル貸機１０は、貯メダル再プレイデータの記憶後、最初に貯メダル再プレイ操作を受け付けた場合に、遊技客に対して暗証番号の入力を求め、入力された暗証番号が貯メダル再プレイデータに示された暗証番号と一致するかを確認する。
【００６３】
台間メダル貸機１０は、暗証番号が一致した場合に、カード管理装置４０のローカルＩＰアドレスを宛先として指定した電文を送信する。この電文は、台間メダル貸機１０に挿入されているカードのカードＩＤと、送信元である台間メダル貸機１０を特定するＩＰアドレス若しくは任意の識別情報と、台間メダル貸機１０のレートを特定するための情報と、貯メダル再プレイ要求とを含む。
【００６４】
カード管理装置４０は、貯メダル再プレイ要求の電文を会員管理装置５０に送信する。会員管理装置５０は、貯メダル再プレイ要求の電文を受信した場合には、該電文内のカードＩＤに関連付けられた貯メダル口座のうち、該電文により特定されたレートの貯メダル口座の残高を所定値減算し、減算後の残高を含む貯メダル再プレイデータを台間メダル貸機１０に送信する。
【００６５】
台間メダル貸機１０は、貯メダル再プレイデータを受信して貯メダル口座の残高を更新し、メダルを貯メダル再プレイ単位数だけ払い出す。また、更新後の貯メダル口座の残高が貯メダル再プレイ単位数未満となったかを判定し、貯メダル再プレイ単位数未満となったならば、貯メダル再プレイ操作を受け付け不能とする。更新後の貯メダル口座の残高が貯メダル再プレイ単位数以上であれば、再度貯メダル再プレイ操作を受け付け可能であり、貯メダル再プレイ操作を受け付けた場合には貯メダル再プレイ要求を送信する。２回目以降の貯メダル再プレイ操作では、暗証番号の確認は不要である。
【００６６】
次に、閉店処理における持メダルからの貯メダルへの移行について説明する。カード管理装置４０は、閉店処理時にカード管理データの持メダル口座の残高を確認し、持メダルの残高が「０」より大きい持メダル口座が存在する場合には、該持メダル口座の残高をカードＩＤ及びレートとともに会員管理装置５０に通知する。会員管理装置５０は、カードＩＤ及びレートにより特定される貯メダル口座の残高に通知された持メダル口座残高を加算して更新する。その後、カード管理装置４０は、該持メダル口座の残高をゼロにクリアする。
【００６７】
次に、図２に示した遊技機２０及び台間メダル貸機１０の外観構成について説明する。図３は、図２に示した遊技機２０及び台間メダル貸機１０の外観構成を示す図である。なお、紙幣のみを受け付ける台間メダル貸機１０を図示したが、硬貨受付用のユニットを設けることもできる。
【００６８】
図３に示すように、遊技機２０は、３つのドラムを有するドラム部２１と、各種表示を行なう表示部２２と、メダル投入口２３と、ドラムの回転開始操作を受け付けるスタートレバーやドラムに対応して設けられた３つのストップボタン等を有する操作部２４と、遊技機２０から払い出されたメダルを受け入れる受け皿２５とを有する。
【００６９】
また、台間メダル貸機１０は、台間メダル貸機１０の装置状態を所定色のランプの点灯あるいは点滅で表示する状態表示部１１と、メダルを貸し出す際の各種紙幣を受け付ける紙幣挿入口１２ａと、タッチパネルディスプレイ等の表示操作部１３と、カードを受け付けるカード挿入口１４ａと、携帯端末等をかざすためのかざし部１４ｂと、メダルを遊技機に投出するノズル１８ａと、計数対象のメダルの投入を受け付けるメダル投入部１９ａとを有する。
【００７０】
次に、図２に示した台間メダル貸機１０の内部構成について説明する。図４は、図２に示した台間メダル貸機１０の内部構成を示すブロック図である。図４に示すように、台間メダル貸機１０は、紙幣搬送部１２と、表示操作部１３と、リーダライタ１４と、かざし部１４ｂと、通信部１５と、記憶部１６と、制御部１７と、ノズルユニット１８と、計数ユニット１９と、非正規メダルホッパ１９ｂとを有する。
【００７１】
紙幣搬送部１２は、紙幣挿入口１２ａから挿入された紙幣の金種及び真偽を判別しつつ図示しない紙幣収納部に搬送する搬送部である。リーダライタ１４は、カード挿入口１４ａに挿入されたカードからカードＩＤを読み取る読取部である。なお、カード挿入口１４ａに挿入されたカードは、このリーダライタ１４を経て図示しないカード収納部に収納される。通信部１５は、遊技機２０及び通信回線との間のデータ通信を行なうためのインタフェース部である。
【００７２】
計数ユニット１９は、メダル投入部１９ａに投入されたメダルを計数するユニットであり、メダルの識別のためにメダル表面を撮影するカメラ部を内蔵する。また、計数ユニット１９は、計数したメダルを図示しない正規メダル回収路と非正規メダルホッパ１９ｂのいずれかに排出する排出切替機構を有する。非正規メダルホッパ１９ｂは、計数ユニット１９から排出された非正規メダルを貯留する貯留部である。
【００７３】
記憶部１６は、ハードディスク装置や不揮発性メモリ等からなる記憶デバイスである。記憶部１６は、カードＩＤ１６ａ、有価価値データ１６ｂ、基準メダルデータ１６ｃ、判定閾値１６ｄ及び計数データ１６ｅを記憶する。
【００７４】
カードＩＤ１６ａは、リーダライタ１４により読み取られたカードＩＤである。図示しないカード収納部からカード挿入口１４ａにカードが搬送され、該カードが排出される場合には、この搬送途中でリーダライタ１４により読み取られたカードＩＤによってカードＩＤ１６ａが更新される。また、カード挿入口１４ａから図示しないカード収納部にカードが搬送される場合にも、この搬送途中でリーダライタ１４により読み取られたカードＩＤによってカードＩＤ１６ａが更新される。
【００７５】
有価価値データ１６ｂは、遊技媒体の払い出しを受けるために使用可能な有価価値を示すデータである。この有価価値には、メダル貸しに使用可能なプリペイド価値の残高、持メダル口座の残高並びに貯メダル口座の残高を含む。
【００７６】
基準メダルデータ１６ｃは、自店舗で使用されるメダルの画像データであり、メダルの識別に使用される。判定閾値１６ｄは、非正規メダルの混入に対して報知するか否かを判定するための閾値であり、他レートメダルの混入に対する閾値と他店舗メダルの混入に対する閾値とを有する。計数データ１６ｅは、メダルの計数値を示すデータである。
【００７７】
制御部１７は、台間メダル貸機１０を全体制御する制御部であり、データ管理部１７ａ、計数処理部１７ｂ、識別処理部１７ｃ、判定処理部１７ｄ、報知部１７ｅ、排出制御部１７ｆ及び閾値設定部１７ｇを有する。
【００７８】
データ管理部１７ａは、カードが挿入された場合に、カードＩＤ１６ａ及び装置ＩＤを含むカード挿入通知をカード管理装置４０に送信する。また、データ管理部１７ａは、カード管理装置４０から有価価値（プリペイド価値、持メダル及び貯メダルの少なくともいずれか）を受信した場合に、受信した有価価値により有価価値データ１６ｂを更新する。データ管理部１７ａは、有価価値データ１６ｂに示されたプリペイド価値、持メダル及び貯メダルの値を適宜表示操作部１３に表示制御する。
【００７９】
また、データ管理部１７ａは、遊技客によりメダル貸操作が行なわれた場合に、カードＩＤ１６ａ及び装置ＩＤを含むメダル貸要求をカード管理装置４０に送信する。このメダル貸要求への応答としてメダル貸許可を受信したならば、データ管理部１７ａは、所定数のメダルを払い出す。
【００８０】
また、データ管理部１７ａは、遊技客により持メダル再プレイ操作が行なわれた場合に、有価価値データ１６ｂに示された持メダル口座の残高を所定数減算し、対応する数のメダルを払い出す。
【００８１】
また、データ管理部１７ａは、遊技客により貯メダル再プレイ操作が行なわれた場合に、カードＩＤ１６ａ及び装置ＩＤを含む貯メダル再プレイ要求をカード管理装置４０に送信する。この貯メダル再プレイ要求への応答として貯メダル再プレイ許可を受信したならば、データ管理部１７ａは、所定数のメダルを払い出す。
【００８２】
また、データ管理部１７ａは、遊技客によりカード返却操作が行なわれた場合に、カードＩＤ１６ａ、装置ＩＤ並びに持メダル数を含む持メダル加算要求をカード管理装置４０に送信して、自装置持メダル口座の残高を０にクリアした後、カード排出通知をカード管理装置４０に送信し、カードを排出する。
【００８３】
また、データ管理部１７ａは、紙幣挿入口１２ａに紙幣が挿入されると、挿入された紙幣の金額、カードＩＤ１６ａ及び装置ＩＤを含む入金通知をカード管理装置４０に送信する。
【００８４】
また、データ管理部１７ａは、遊技客から持メダルを貯メダルに移行するための貯メダル移行操作を受け付けた場合に、カードＩＤ１６ａと、装置ＩＤとを含む貯メダル移行要求をカード管理装置４０に送信し、持メダルの一部又は全部を持メダルから貯メダルに移行させる。
【００８５】
なお、挿入されているカードが会員に対して発行される会員カードであれば、カードＩＤにより移行先の貯メダル口座が特定可能であるが、挿入されているカードが非会員でも使用可能な一般カードであれば、移行先の貯メダル口座を特定するために会員を識別するための情報が必要である。この会員を識別するための情報としては、携帯端末のＩＤｍを使用可能である。携帯端末のＩＤｍを使用する場合には、かざし部１４ｂから読み取ったＩＤｍを貯メダル移行要求に含めることとなる。なお、携帯端末での貯メダルには、ＩＤｍそのものを使うのではなく、事前にＩＤｍにより会員カードＩＤを問い合わせ、応答で得た会員カードＩＤを利用して行なうようにしてもよい。
【００８６】
計数処理部１７ｂは、計数ユニット１９にメダルが投入された場合に、計数ユニット１９にメダルの計数を行わせ、計数結果を有価価値データ１６ｂの持メダル数に加算する処理を行う。
【００８７】
識別処理部１７ｃは、計数ユニット１９にメダルが投入された場合に、該メダルを撮像した画像データと基準メダルデータ１６ｃとを比較して投入されたメダルを識別し、計数データ１６ｅを更新する。また、識別処理部１７ｃは、メダルの計数が終了した場合に、計数データ１６ｅをカード管理装置４０に送信し、計数データ１６ｅをリセットする。
【００８８】
判定処理部１７ｄは、計数データ１６ｅが更新された場合に、更新された計数データ１６ｅから他レートメダルの混入率と他店メダルの混入率をそれぞれ算出し、判定閾値１６ｄに示された判定閾値と比較する処理を行なう。
【００８９】
報知部１７ｅは、判定処理部１７ｄにより、他レートメダルの混入率が他レートメダルの判定閾値以上である場合に、遊技店員に対して報知を行なう。同様に、他店メダルの混入率が他店メダルの判定閾値以上である場合に、遊技店員に対して報知を行なう。遊技店員に対する報知は、遊技店員が携行する店員端末への通信や、カード管理装置４０への通信等、任意の方法を用いることができる。
【００９０】
排出制御部１７ｆは、識別処理部１７ｃによる識別結果に基づいて、計数後のメダルの排出制御を行なう。具体的には、計数されたメダルが正規メダルである場合には、正規メダル回収路に排出制御し、計数されたメダルが他レートメダル又は他店メダルである場合には、非正規メダルホッパ１９ｂにメダルを貯留させる。
【００９１】
閾値設定部１７ｇは、カード管理装置４０から他レートメダルの判定閾値や他店メダルの判定閾値を受信した場合に、判定閾値１６ｄを更新する処理を行なう。後述するように、カード管理装置４０は、遊技店内で循環しているメダルにおける非正規メダルの混入状況に基づいて判定閾値を算出し、配信しているため。カード管理装置４０から受信した判定閾値を用いることで、適切な判定を行なうことができる。
【００９２】
次に、台間メダル貸機１０の記憶部１６が記憶するデータの具体例について説明する。図５は、台間メダル貸機１０の記憶部１６が記憶するデータを説明するための説明図である。
【００９３】
図５（ａ）に示すカードＩＤ１６ａは、台間メダル貸機１０に挿入されたカードのＩＤが「２００２」であることを示している。なお、ここでは、カードＩＤの上１桁がカードの種別を示しており、上１桁が「１」のカードが一般カード、上１桁が「２」のカードが会員カードである。
【００９４】
図５（ｂ）に示す有価価値データ１６ｂは、プリペイド価値が「２０度数」、メダル１の持メダル口座の残高が「１２００枚」、メダル２の持メダル口座の残高が「４００枚」、メダル１の貯メダル口座の残高が「１０００枚」、メダル２の貯メダル口座の残高が「０枚」である状態を示している。なお、ここではプリペイド価値の度数は１度数が１００円相当である。また、メダル１は１枚２０円で貸し出されるメダルに対応し、メダル２は１枚５円で貸し出されるメダルに対応する。
【００９５】
図５（ｃ）に示す基準メダルデータ１６ｃは、自店舗で使用されるメダル１とメダル２の２種類のメダルについて、画像データを関連付けている。具体的には、メダル１の基準データとして「Ｍｅｄ１．ｊｐｇ」を関連付け、メダル２の基準データとして「Ｍｅｄ２．ｊｐｇ」を関連付けている。
【００９６】
図５（ｄ）に示す判定閾値１６ｄは、閾値設定部１７ｇにより設定された他レートメダルの判定閾値が「０．０５」であり、他店メダルの判定閾値が「０．０１」であることを示している。
【００９７】
図５（ｅ）に示す計数データ１６ｅは、台間メダル貸機１０が計数すべき正規メダルが「メダル１」であり、メダル１の計数値が「２００」であることを示している。また他レートメダルであるメダル２の計数値が「７」であり、他店メダル、すなわちメダル１及び２以外のメダルの計数値が「３」であることを示している。
【００９８】
次に、台間メダル貸機１０のメダル計数時の処理手順について説明する。図６は、台間メダル貸機１０のメダル計数時の処理手順について説明するためのフローチャートである。
【００９９】
図６に示すように、台間メダル貸機１０は、計数ユニット１９にメダルが投入されていなければ（ステップＳ１０１；Ｎｏ）、計数処理を終了し、メダルの投入を待機する。そして、計数ユニット１９にメダルが投入されたならば（ステップＳ１０１；Ｙｅｓ）、識別処理部１７ｃが投入されたメダルのうち１枚を識別する（ステップＳ１０２）。
【０１００】
識別の結果、メダルが正規メダル、すなわち自レートのメダルである場合には（ステップＳ１０３；Ｙｅｓ）、識別処理部１７ｃは、計数データ１６ｅの自レートメダルの計数値を１加算する（ステップＳ１１２）。この場合には、排出制御部１７ｆは、メダルを正規メダル回収路に排出する（ステップＳ１１３）。
【０１０１】
識別の結果、メダルが自レートのメダルではなく（ステップＳ１０３；Ｎｏ）、他レートのメダルである場合には（ステップＳ１０４；Ｙｅｓ）、識別処理部１７ｃは、計数データ１６ｅの該当するレートの計数値を１加算する（ステップＳ１１１）。
【０１０２】
また、識別の結果、メダルが他レートのメダルでもない、すなわち他店メダルである場合には（ステップＳ１０４；Ｎｏ）、識別処理部１７ｃは、計数データ１６ｅの他店メダルの計数値を１加算する（ステップＳ１０５）。
【０１０３】
ステップＳ１１１又はステップＳ１０５の後、判定処理部１７ｄは、更新された計数データ１６ｅから他レートメダルの混入率と他店メダルの混入率をそれぞれ算出し、判定閾値１６ｄに示された判定閾値と比較する（ステップＳ１０６）。
【０１０４】
他レートメダルの混入率と他店メダルの混入率のいずれかが判定閾値以上であれば（ステップＳ１０６；Ｙｅｓ）、報知部１７ｅは、遊技店員に対して報知を行なう（ステップＳ１０７）。ステップＳ１０７の報知の後、若しくは他レートメダルの混入率と他店メダルの混入率のいずれかも判定閾値未満である場合（ステップＳ１０６；Ｎｏ）、排出制御部１７ｆは、メダルを非正規メダルホッパ１９ｂに排出する（ステップＳ１０８）。
【０１０５】
ステップＳ１０８又はステップＳ１１３によりメダルを排出した後、計数処理部１７ｂは、投入されたメダルのうち、計数を行なっていないメダルが残っているかを判定する（ステップＳ１０９）。
【０１０６】
メダルが残っているならば（ステップＳ１０９；Ｙｅｓ）、ステップＳ１０２に移行し、次のメダル１枚を識別する（ステップＳ１０２）。全てのメダルを計数し、メダルが残っていないならば（ステップＳ１０９；Ｎｏ）、計数結果の出力を行なって（ステップＳ１１０）、処理を終了する。計数結果の出力では、計数処理部１７ｂは、計数したメダルの総数（自レートメダル、他レートメダル及び他店メダルの計数値の合計）を持メダルに加算する。また、識別処理部１７ｃは、計数データ１６ｅをカード管理装置４０に送信し、計数データ１６ｅをリセットする。
【０１０７】
次に、図２に示したカード管理装置４０の内部構成について説明する。図７は、図２に示したカード管理装置４０の内部構成を示すブロック図である。図７に示すように、カード管理装置４０は、表示部４１及び入力部４２と接続され、店舗ネットワーク通信部４４、記憶部４５及び制御部４６を有する。
【０１０８】
表示部４１は、液晶パネルやディスプレイ装置等である。入力部４２は、キーボードやマウス等である。店舗ネットワーク通信部４４は、通信回線を介して台間メダル貸機１０、会員管理装置５０、景品管理装置６０等とデータ通信するためのインタフェース部である。
【０１０９】
記憶部４５は、ハードディスク装置や不揮発性メモリ等の記憶デバイスであり、カード管理データ４５ａ及び計数結果データ４５ｂを記憶する。
【０１１０】
カード管理データ４５ａは、カードＩＤに対し、プリペイド価値の残高と、各レートの持メダル口座の残高と、該カードが挿入されている台間メダル貸機のＩＤを示す使用先ＩＤとを対応付けたデータである。計数結果データ４５ｂは、台間メダル貸機１０から受信した計数データ１６ｅに基づいて生成されたデータであり、遊技店内における計数の履歴と、各メダルの混入の結果を示す。
【０１１１】
制御部４６は、カード管理装置４０を全体制御する制御部であり、カード管理部４６ａ、計数結果管理部４６ｂ、閾値算出部４６ｃ及び分析部４６ｄを有する。実際には、これらの機能部に対応するプログラムを図示しないＲＯＭや不揮発性メモリに記憶しておき、これらのプログラムをＣＰＵ（Central Processing Unit）にロードして実行することにより、カード管理部４６ａ、計数結果管理部４６ｂ、閾値算出部４６ｃ及び分析部４６ｄにそれぞれ対応するプロセスを実行させることになる。
【０１１２】
カード管理部４６ａは、カード管理データ４５ａの管理を行なう処理部である。具体的には、カード管理部４６ａは、台間メダル貸機１０からカード挿入通知を受信した場合には、カード挿入通知に示されたカードＩＤの使用先を、同じくカード挿入通知に示された装置ＩＤとする。また、カード挿入通知に示されたカードＩＤに関連付けられた有価価値を台間メダル貸機１０に通知する。ここで、有価価値のうち、プリペイド価値と各レートの持メダル口座の残高については、カード管理データ４５ａから読みだす。また、挿入されたカードが会員カードである場合には、会員管理装置５０に対してカードＩＤを通知し、該カードＩＤに関連付けられた各レートの貯メダル口座の残高を取得する。カード管理部４６ａは、台間メダル貸機１０から持メダル減算要求を受信した場合に、持メダル減算要求に示された持メダル口座の残高をゼロにクリアしてカード管理データ４５ａを更新する。
【０１１３】
また、カード管理部４６ａは、台間メダル貸機１０からカードＩＤを含むメダル貸要求を受信した場合に、該カードＩＤに関連付けられたプリペイド価値が所定値以上であるか否かを判定する。プリペイド価値が所定値以上である場合には、カード管理部４６ａは、プリペイド価値を所定値減算してカード管理データ４５ａを更新し、台間メダル貸機１０に更新後のプリペイド価値を含むメダル貸許可を送信する。一方、プリペイド価値が所定値未満である場合には、カード管理部４６ａは、台間メダル貸機１０にメダル貸不可を通知する。
【０１１４】
また、カード管理部４６ａは、台間メダル貸機１０から金額、カードＩＤ１６ａ及び装置ＩＤを含む入金通知を受信した場合に、該カードＩＤ関連付けられたプリペイド価値を入金通知に示された金額に対応する度数分加算して、カード管理データ４５ａを更新する。
【０１１５】
また、カード管理部４６ａは、台間メダル貸機１０から貯メダル再プレイ要求を受信した場合には、該貯メダル再プレイ要求を会員管理装置５０に転送する。また、貯メダル再プレイ要求に対する会員管理装置５０からの応答についても、カード管理部４６ａが転送制御をおこなう。
【０１１６】
また、カード管理部４６ａは、持メダル加算要求を受信した場合には、持メダル減算要求に示された持メダル口座の残高に受信した持メダル数を加算して、カード管理データ４５ａを更新する。また、カード管理部４６ａは、カード排出通知を受信した場合には、該カードＩＤの使用先について値を消去し、カード管理データ４５ａを更新する。
【０１１７】
また、カード管理部４６ａは、景品管理装置６０からカードＩＤを受信したならば、このカードＩＤに対応づけられた各レートの持メダル口座の残高を景品管理装置６０に対して通知する。
【０１１８】
計数結果管理部４６ｂは、台間メダル貸機１０から受信した計数データ１６ｅに基づいて、計数結果データ４５ｂを更新する処理部である。具体的には、計数結果を履歴として登録し、各メダルの混入状況を集計して、計数結果データ４５ｂを更新する。
【０１１９】
閾値算出部４６ｃは、計数結果データ４５ｂに基づいて判定閾値を算出し、算出した判定閾値を各台間メダル貸機１０に配信する処理部である。具体的には、計数結果データ４５ｂに示されたメダルの混入状況に基づいて他レートメダルの判定閾値と他店メダルの判定閾値をメダルの種別毎に算出する。
【０１２０】
例えば、メダル１を用いる区画でのメダル１の計数値の合計が９７００枚、他レートであるメダル２の計数値の合計が２５０枚、他店メダルの計数値の合計が５０枚であれば、他レートメダルの混入率は
２５０÷（９７００＋２５０＋５０）＝０．０２５
となるので、この混入率よりも十分大きい値（例えば０．０５）をメダル１の他レートメダルに対する判定閾値とする。同様に、他店メダルの混入率は、
５０÷（９７００＋２５０＋５０）＝０．００５
となるので、この混入率よりも十分大きい値（例えば０．０１）をメダル１の他店メダルに対する判定閾値とする。
【０１２１】
閾値算出部４６ｃは、メダル１の他レートメダルに対する判定閾値と、メダル１の他店メダルに対する判定閾値とは、メダル１を正規メダルとして使用する区画に設置された台間メダル貸機１０に配信する。
【０１２２】
また、閾値算出部４６ｃは、メダル２についても同様に、他レートメダルに対する判定閾値と、他店メダルに対する判定閾値とを算出し、メダル２を正規メダルとして使用する区画に設置された台間メダル貸機１０に配信する。この場合には、他レートメダルは、メダル１となる。
【０１２３】
分析部４６ｄは、計数結果データ４５ｂに基づいて各種分析を行ない、分析結果を出力する処理部である。具体的には、混入率の増加や減少を分析し、分析結果を出力する。この分析は、レート毎に行なうことが好ましい。また、他レートメダルの増減と、他店メダルの増減をそれぞれ区別して分析することが好ましい。
【０１２４】
次に、カード管理装置４０の記憶部４５が記憶するデータの具体例について説明する。図８は、カード管理装置４０の記憶部４５が記憶するデータを説明するための説明図である。
【０１２５】
図８（ａ）に示すカード管理データ４５ａでは、カードＩＤ「１００１」にプリペイド価値「３０度数」、メダル１の持メダル口座残高「８００」、メダル２の持メダル口座残高「１６００」が関連付けられている。また、カードＩＤ「１００１」には使用先ＩＤが関連付けられておらず、このカードが遊技に使用中ではないことを示している。
【０１２６】
カードＩＤ「２００２」には、プリペイド価値「２０度数」、メダル１及びメダル２の持メダル口座の残高「０」、使用先ＩＤ「５００６」が関連付けられている。すなわち、カードＩＤ「２００２」のカードは、装置ＩＤ「５００６」の台間メダル貸機１０に挿入されており、持メダルについては台間メダル貸機１０に管理が移っている。このため、各持メダル口座の残高はゼロとなっている。
【０１２７】
図８（ｂ）に示す計数結果データ４５ｂは、メダル１を使用する区画に設けられた装置ＩＤ「５００６」である台間メダル貸機１０が、２０１２年９月１日の１０時３０分に、メダル１を「２００枚」、メダル２を「７枚」、他店メダルを「３枚」計数したことを示している。また、計数結果データ４５ｂは、メダル１を使用する区画に設けられた台間メダル貸機１０により計数されたメダル１の計数値の合計が「９７００枚」、メダル２の計数値の合計が「２５０枚」、他店メダルの計数値の合計が「５０枚」であることを示している。図８（ｂ）ではメダル１を使用する区画に設けられた台間メダル貸機１０の計数結果を示したが、メダル２を使用する区画に設けられた台間メダル貸機１０の計数結果についても同様のデータを有する。
【０１２８】
上述してきたように、本実施例１では、台間メダル貸機１０によりメダルを識別して計数し、非正規メダルの混入率が判定閾値以上である場合に報知を行なうように構成したので、非正規メダルの計数による不正を検知することができる。
【０１２９】
また、非正規メダルについて、自店舗の他の区画で用いられる他レートメダルと、自店舗で使用していない他店メダルとを識別し、それぞれの混入を個別に判定するので、他レートメダルの持ち込みと、他店メダルの持ち込みとを判別可能である。
【０１３０】
また、遊技店全体での非正規メダルの混入状態を管理して判定閾値を設定するので、不正な計数を精度良く判定することができる。また、の非正規メダルの混入状態を分析することで、不正の発生状況を把握するための指標を得ることができる。
【実施例２】
【０１３１】
上記実施例１では、台間メダル貸機１０によりメダルの計数を行なう場合について説明したが、本発明は遊技島に設けた島端計数機に適用することもできる。そこで、本実施例では、島端計数機に本発明を適用した場合について説明する。
【０１３２】
図９は、実施例２に係るメダル計数の概念を説明するための説明図である。図９に示す島端計数機１２０は、メダルを遊技媒体として使用する遊技機２０が設置された遊技島に設けられ、該遊技島の遊技機２０により獲得されたメダルを計数する装置である。
【０１３３】
島端計数機１２０に遊技客が獲得したメダルを投入すると、島端計数機１２０は、投入されたメダルが正規のメダルであるか否かを識別して計数する。非正規メダルには、自店舗の他の区画で計数されるべきレート違いのメダル（他レートメダル）と、自店舗で使用されていないメダル（他店メダル）とが含まれるが、島端計数機１２０は、他レートメダルと他店メダルとをそれぞれ識別して計数する。
【０１３４】
島端計数機１２０は、計数したメダルが正規メダルである場合には、該メダルを正規メダル回収路へ投出し、計数したメダルが非正規メダルである場合には、該メダルを非正規メダルホッパに貯留する。このとき、島端計数機１２０は、該非正規メダルが他レートメダルである場合には、後続の処理を継続するが、該非正規メダルが他店メダルである場合には処理を停止する。
【０１３５】
島端計数機１２０による計数時には、遊技店員が立ち会っており、他店メダルの計数により処理が停止した場合には、非正規メダルホッパから他店メダルを排除する。他店メダルの計数により処理が停止しているため、他店メダルは非正規メダルホッパ内のメダルの最も上に所在しているので、他店メダルの排除は容易である。このように、他店メダルの計数時に処理を停止して他店メダルの排除を行なうことにより、非正規メダルホッパには他レートメダルのみが貯留されることとなる。
【０１３６】
また、島端計数機１２０は、投入された正規メダルの数と非正規メダルの数とをそれぞれ記憶し、非正規メダルの混入率が判定閾値を超えるか否かを判定する。そして、判定閾値を超えた場合には、遊技店員に対する報知を行なう。混入率は、他レートメダルと他店メダルについてそれぞれ算出する。また、他レートメダルの混入率に対する判定閾値と、他店メダルの混入率に対する判定閾値とは個別に設定する。
【０１３７】
島端計数機１２０は、投入された獲得メダルの計数後、正規メダルの計数値と、他レートメダルの計数値と、他店メダルの計数値とを計数結果としてカード管理装置４０に送信する。また、島端計数機１２０は、正規メダルの計数値と、他レートメダルの計数値と、他店メダルの計数値の合計を獲得メダル数として印字した計数レシートを発行する。この計数レシートは、遊技客に渡される。
【０１３８】
カード管理装置４０は、遊技店で使用されるカードを管理する装置であり、複数の島端計数機１２０から計数結果を収集する機能を有する。カード管理装置４０は、収集した計数結果に基づいて他レートメダルの判定閾値と他店メダルの判定閾値とをそれぞれ算出し、各島端計数機１２０に配信する。
【０１３９】
このように、島端計数機１２０は、メダルを識別して計数し、計数結果に基づいて混入率と比較するための判定閾値を変更するので、遊技店内での非正規メダルの混入状況に合わせた適切な判定を行なうことができる。
【０１４０】
また、他レートメダルと他店メダルとをそれぞれ識別し、他レートメダルの混入率に対する判定閾値と他店メダルの混入率に対する判定閾値とを個別に設定することで、精度よく判定を行なうことができる。
【０１４１】
さらに、他店メダルの計数時に処理を停止することで、他店メダルと他レートメダルとの仕分けを簡易且つ確実に行なうことが可能である。
【０１４２】
次に、遊技店のシステム構成について説明する。図１０は、実施例２に係る遊技店のシステム構成を示す図である。図１０に示すように、実施例２に係るシステム構成では、島コントローラ３０に島端計数機１２０が接続されている。島端計数機１２０は、島コントローラ３０を介してカード管理装置４０と通信可能である。
【０１４３】
また、実施例２に係るシステム構成では、遊技機２０にはメダルの計数に関する機能を持たない台間メダル貸機１１０が併設される。その他の構成及び動作については実施例１に示したシステム構成と同様であるので、同一の構成要素には同一の符号を付して説明を省略する。
【０１４４】
次に、図１０に示した島端計数機１２０の外観構成について説明する。図１１は、図１０に示した島端計数機１２０の外観構成を示す外観構成図である。同図に示すように、島端計数機１２０は、表示操作部１２１と、メダルを貯留するホッパユニット１２２と、レシート発行部１２３とを有する。また、島端計数機１２０は、リーダライタ１２４と接続される。リーダライタ１２４は、カードを挿入するためのカード挿入口１２４ａと、携帯対端末等をかざすためのかざし部１２４ｂとを有する。
【０１４５】
次に、図１０に示した島端計数機１２０の内部構成について説明する。図１２は、図１０に示した島端計数機１２０の内部構成を示すブロック図である。図１２に示すように、島端計数機１２０は、表示操作部１２１と、レシート発行部１２３と、通信部１２５と、記憶部１２６と、制御部１２７と、計数ユニット１２９と、非正規メダルホッパ１２９ｂとを有する。
【０１４６】
表示操作部１２１は、タッチパネルディスプレイ等により構成され、遊技客や店員からの操作の受け付けと各種情報の表示を行なう。レシート発行部１２３は、計数結果のバーコード印刷したレシートを発行する処理部である。通信部１２５は、通信回線との間のデータ通信を行なうためのインタフェース部である。
【０１４７】
計数ユニット１２９は、ホッパユニット１２２に投入されたメダルを計数するユニットであり、メダルの識別のためにメダル表面を撮影するカメラ部を内蔵する。また、計数ユニット１２９は、計数したメダルを図示しない正規メダル回収路と非正規メダルホッパ１２９ｂのいずれかに排出する排出切替機構を有する。非正規メダルホッパ１２９ｂは、計数ユニット１２９から排出された非正規メダルを貯留する貯留部である。
【０１４８】
記憶部１２６は、ハードディスク装置や不揮発性メモリ等からなる記憶デバイスである。記憶部１２６は、基準メダルデータ１２６ｃ、判定閾値１２６ｄ、計数データ１２６ｅ及びレシートデータ１２６ｆを記憶する。
【０１４９】
基準メダルデータ１２６ｃは、実施例１に示した基準メダルデータ１６ｃと同様に、自店舗で使用されるメダルの画像データであり、メダルの識別に使用される。判定閾値１２６ｄは、実施例１に示した判定閾値１６ｄと同様に、非正規メダルの混入に対して報知するか否かを判定するための閾値である。計数データ１２６ｅは、実施例１に示した計数データ１６ｅと同様に、メダルの計数値を示すデータである。レシートデータ１２６ｆは、レシート発行部１２３により発行されたレシートの履歴を示すデータである。
【０１５０】
制御部１２７は、島端計数機１２０を全体制御する制御部であり、レシート発行処理部１２７ａ、計数処理部１２７ｂ、識別処理部１２７ｃ、判定処理部１２７ｄ、報知部１２７ｅ、排出制御部１２７ｆ及び閾値設定部１２７ｇを有する。
【０１５１】
レシート発行処理部１２７ａは、計数処理部１２７ｂによる計数結果をカードに関連付けるか、若しくはレシートにバーコード印刷して発行させる処理を行なう。カードに関連付ける場合には、リーダライタ１２４により読み取ったカードＩＤ若しくはかざし部１２４ｂにより読み取った識別情報とともに、計数結果をカード管理装置４０に送信することで、持メダル口座の残高に加算させる。また、計数レシートを発行する場合には、計数結果をバーコードに符号化し、レシート発行部１２３に印刷させる。
【０１５２】
計数処理部１２７ｂは、計数ユニット１２９にメダルが投入された場合に、計数ユニット１２９にメダルの計数を行わせ、計数結果をレシート発行処理部１２７ａに出力する処理部である。
【０１５３】
識別処理部１２７ｃ、判定処理部１２７ｄ、報知部１２７ｅ及び閾値設定部１２７ｇの処理は、実施例１に示した識別処理部１７ｃ、判定処理部１７ｄ、報知部１７ｅ及び閾値設定部１７ｇと同様であるので説明を省略する。
【０１５４】
排出制御部１２７ｆは、識別処理部１２７ｃによる識別結果に基づいて、計数後のメダルの排出制御を行なう。具体的には、計数されたメダルが正規メダルである場合には、正規メダル回収路に排出制御し、計数されたメダルが他レートメダル又は他店メダルである場合には、非正規メダルホッパ１２９ｂにメダルを貯留させる。排出制御部１２７ｆは、該非正規メダルが他レートメダルである場合には、後続の処理を継続するが、該非正規メダルが他店メダルである場合には処理を停止する。
【０１５５】
次に、島端計数機１２０のメダル計数時の処理手順について説明する。図１３は、島端計数機１２０のメダル計数時の処理手順について説明するためのフローチャートである。図１３に示した処理手順は、ステップＳ１０５とステップＳ１０６の間に所定停止フラグを１にセットする処理（ステップＳ２０１）が入り、ステップＳ１０８とステップＳ１０９の間に処理停止制御（ステップＳ２０２）が入る点が、図６に示した台間メダル貸機１０の処理手順と異なる。また、計数結果の出力処理（ステップＳ２０３）の内容が図６に示したステップＳ１１０と異なる。その他の動作については、図６に示した処理手順と同様であるので説明を省略する。
【０１５６】
図１３に示した処理手順では、正規メダル又は他レートメダルを計数した場合には、図６に示した処理順と同じ動作となるのに対し、他店メダルを計数した場合には、処理停止フラグが１にセットされ、処理停止制御により一次的に処理が中断する。
【０１５７】
また、図６に示した処理手順における計数結果の出力では、計数したメダルの総数（自レートメダル、他レートメダル及び他店メダルの計数値の合計）を持メダルに加算していたのに対し、図１３に示す処理手順における計数結果の出力処理（ステップＳ２０３）では、計数したメダルの総数は、カードに関連付けられるか、計数レシートに印字される。なお、計数データ１２６ｅをカード管理装置４０に送信し、計数データ１２６ｅをリセットする点については図６と同様である。
【０１５８】
次に、図１３に示した処理停止制御（ステップＳ２０２）の詳細な処理手順について説明する。図１４は、図１３に示した処理停止制御の詳細な処理手順を示すフローチャートである。
【０１５９】
図１４に示すように、排出制御部１２７ｆは、処理停止フラグが１であるか否かを判定し（ステップＳ３０１）、処理フラグが０である場合には（ステップＳ３０１；Ｎｏ）、そのまま処理停止制御を終了する。
【０１６０】
一方、処理停止フラグが１である場合には（ステップＳ３０１；Ｙｅｓ）、排出制御部１２７ｆは、後続の処理を停止し（ステップＳ３０２）、店員による再開操作を受け付けたか否かを判定する（ステップＳ３０３）。
【０１６１】
再開操作を受け付けていなければ（ステップＳ３０３；Ｎｏ）、排出制御部１２７ｆは、ステップＳ３０３を繰り返す。そして、店員による再開操作を受け付けたならば（ステップＳ３０３；Ｙｅｓ）、処理停止フラグを０にリセットし（ステップＳ３０４）、処理を再開して（ステップＳ３０５）、処理停止制御を終了する。
【０１６２】
上述してきたように、本実施例２では、島端計数機１２０によりメダルを識別して計数し、非正規メダルの混入率が判定閾値以上である場合に報知を行なうように構成したので、非正規メダルの計数による不正を検知することができる。
【０１６３】
また、非正規メダルについて、自店舗の他の区画で用いられる他レートメダルと、自店舗で使用していない他店メダルとを識別し、それぞれの混入を個別に判定するので、他レートメダルの持ち込みと、他店メダルの持ち込みとを判別可能である。
【０１６４】
また、遊技店全体での非正規メダルの混入状態を管理して判定閾値を設定するので、不正な計数を精度良く判定することができる。また、非正規メダルの混入状態を分析することで、不正の発生状況を把握するための指標を得ることができる。
【０１６５】
さらに、他レートメダルを非正規メダルホッパに排出した場合にはそのまま処理を継続し、他店メダルを非正規メダルホッパに排出した場合には処理を一時停止するので、他レートメダルと他店メダルとの分別を簡易に行なうことができる。
【０１６６】
なお、上述の実施例１及び２では、他レートメダルと他店メダルとを同一の非正規メダルホッパに排出する構成について説明したが、他レートメダルを排出するホッパと他店メダルを排出するホッパをそれぞれ設けてもよい。
【０１６７】
また、非正規のメダルを貯留するホッパを設けず、非正規メダルを装置外部に払い出すように構成してもよい。
【０１６８】
また、非正規のメダルを正規のメダルと同様に回収路に排出することとしてもよい。この場合であっても、計数結果の管理、閾値の算出、並びに非正規メダル混入状況の分析は可能である。
【０１６９】
また、上述の実施例１及び２では、画像認識によりメダルの識別を行なう場合について説明したが、メダルの色等を特徴として取得し、識別に用いてもよい。
【０１７０】
また、上述の実施例１及び２では、遊技中には台間メダル貸機が持メダルを管理する構成について説明したが、遊技中の持メダルの管理をカード管理装置４０が行うこととしてもよい。
【０１７１】
また、上述の実施例１及び２では、計数結果の管理、閾値の算出、並びに非正規メダル混入状況の分析をカード管理装置４０に行なわせる構成について説明したが、カード管理装置４０とは異なる管理装置を設置し、該管理装置により計数結果の管理、閾値の算出、並びに非正規メダル混入状況の分析を行なう構成としてもよい。
【０１７２】
また、島端計数機１２０に、計数結果の管理、閾値の算出、並びに非正規メダル混入状況の分析の一部又は全てを行なわせるように構成してもよい。この構成は、店舗内に計数機を１台のみ設置する場合に特に有効である。
【０１７３】
また、上述の実施例１では、メダルを貸し出す機能と計数機能とを有する台間メダル貸機について説明を行なったが、メダルを貸し出す装置と計数を行なう装置とを別体で構成してもよい。別体で構成する場合は、メダルとレートとを紐付けて管理するのではなく、計数を行なう装置が、自装置の計数対象のメダルであるかどうかを判定することとなる。
【０１７４】
また、上述の実施例１及び２では、他店メダルについて詳細な識別を行なっていなかったが、他店メダルをさらに識別するよう構成してもよい。具体的には、自店舗で使用されていない他店メダルの計数時には該他店メダルの画像を記憶し、同一の他店メダルの計数に対してはより厳しい判定閾値を用いることで、他店メダルの持ち込みをさらに精度良く検知することができる。
【０１７５】
また、上述の実施例１及び２では、カードの形態についての詳細な説明を省略したが、かかるカードには、磁気カード、ＩＣカード等が含まれる。また、ここでは説明の便宜上「カード」を例にとって説明したが、かかるカード以外に、チップ、スティックであってもよい。
【０１７６】
また、上述の実施例１及び２では、遊技媒体としてメダルを使用する場合を例に説明を行なったが、遊技媒体として遊技玉を使用する場合であっても本発明を適用可能である。
【０１７７】
また、図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１７８】
以上のように、本発明に係る遊技媒体計数システム、遊技媒体計数装置及び遊技媒体計数方法は、非正規の遊技媒体の計数に対する対処に適している。
【符号の説明】
【０１７９】
１０、１１０  台間メダル貸機
１１  状態表示部
１２  紙幣搬送部
１２ａ  紙幣挿入口
１３、１２１  表示操作部
１４、１２４  リーダライタ
１４ａ、１２４ａ  カード挿入口
１４ｂ、１２４ｂ  かざし部
１５、１２５  通信部
１６、４５、１２６  記憶部
１６ａ  カードＩＤ
１６ｂ  有価価値データ
１６ｃ、１２６ｃ  基準メダルデータ
１６ｄ、１２６ｄ  判定閾値
１６ｅ、１２６ｅ  計数データ
１７、４６、１２７  制御部
１７ａ  データ管理部
１７ｂ、１２７ｂ  計数処理部
１７ｃ、１２７ｃ  識別処理部
１７ｄ、１２７ｄ  判定処理部
１７ｅ、１２７ｅ  報知部
１７ｆ、１２７ｆ  排出制御部
１７ｇ、１２７ｇ  閾値設定部
１８  ノズルユニット
１８ａ  ノズル
１９、１２９  計数ユニット
１９ａ  メダル投入部
１９ｂ、１２９ｂ  非正規メダルホッパ
２０  遊技機
２１  ドラム部
２２、４１  表示部
２３  メダル投入口
２４  操作部
２５  受け皿
３０  島コントローラ
４０  カード管理装置
４１  表示部
４２  入力部
４４  店舗ネットワーク通信部
４５ａ  カード管理データ
４５ｂ  計数結果データ
４６ａ  カード管理部
４６ｂ  計数結果管理部
４６ｃ  閾値算出部
４６ｄ  分析部
５０  会員管理装置
６０  景品管理装置
８０  精算機
１２０  島端計数機
１２２  ホッパユニット
１２３  レシート発行部
１２６ｆ  レシートデータ
１２７ａ  レシート発行処理部
【図１】
2014079320.tif 000003
【図２】
2014079320.tif 000004
【図３】
2014079320.tif 000005
【図４】
2014079320.tif 000006
【図５】
2014079320.tif 000007
【図６】
2014079320.tif 000008
【図７】
2014079320.tif 000009
【図８】
2014079320.tif 000010
【図９】
2014079320.tif 000011
【図１０】
2014079320.tif 000012
【図１１】
2014079320.tif 000013
【図１２】
2014079320.tif 000014
【図１３】
2014079320.tif 000015
【図１４】
2014079320.tif 000016